(57)【要約】【課題】  ランダムアクセス可能な録画装置において、録画された映像データのサムネール画面を高速に表示する手段を提供すること。【解決手段】  ランダムアクセス可能なメディアを用いる録画装置に一般的に搭載されているメモリ１０５を利用してサムネール画像の保持を行う構成とした。また、サムネール画像データおよび属性情報を単一ファイル中で管理し、サムネール画像データと属性情報とをそれぞれ連続的に記録する構成とした。さらに、単一ファイル中で属性情報が記録されている領域は、映像の撮影数の関わらず固定長である構成とした。【選択図】  図１
2005253087.tif 000002
【特許請求の範囲】
【請求項１】
ランダムアクセス可能な記録媒体駆動装置および記録した映像を再生する表示装置を備えた録画装置であって、記録媒体からの間欠的な動画データの読みだしおよび書き込みを行うためのバッファメモリを具備し、メディア中に記録した映像のサムネール画像を一覧表示する機能を備え、前記サムネール画像の出画時間を短縮するために、予め生成されたサムネール画像を映像とは別の単一ファイルＡとして記録する手段を備えた録画装置において、サムネールを出画する際に高速に出画することを目的として前記バッファメモリに単一ファイルＡの内容を読込み、そこからサムネール画像を取得して表示することを特徴とする録画装置。
【請求項２】
請求項１に示した録画装置において、単一ファイルＡの内容として少なくともサムネール画像の他に、撮影時刻やタイトルなどの属性データを含める録画装置であって、単一ファイルＡの内部において、まずすべての属性データが連続的に配置されており、次にすべてのサムネール画像が連続的に配置されていることを特徴とする録画装置。
【請求項３】
請求項２に示した録画装置において、単一ファイルＡ中の属性データが納められている領域の大きさが、映像の撮影数に依存せず固定であることを特徴とする録画装置。
【請求項４】
請求項１に示した録画装置において、バッファメモリにサムネール画像データが入っている状態から再生または録画状態に遷移する際に、現在表示が行われているサムネール画像をバッファメモリとは別のメモリ領域Ｃに複写し、再度サムネールを出画する際にはバッファメモリよりもメモリ領域Ｃから優先的に出画するような構成としたことを特徴とする録画装置。
【請求項５】
単一ファイルＡが占有すると予想される最大の領域を、ある記録媒体に初めて録画が行われる以前に、その記録媒体上の論理的に連続した領域として予め確保しておくことを特徴とする録画装置。
【発明の詳細な説明】
【技術分野】
【０００１】
本発明は、ランダムアクセス可能な記録媒体（記録媒体）に録画を行う録画装置に関する。
【背景技術】
【０００２】
従来のビデオテープを用いた録画装置に代わり、近年、ディスクや半導体メモリに代表されるメモリなどランダムアクセス可能な記録媒体を用いた録画装置が登場している。こうのような類の録画装置では、記録媒体がランダムアクセス可能である点を生かして、録画された内容をサムネール画面として一覧表示する機能を備えている場合が多い。
【０００３】
サムネール画面を出画するにあたっては、その都度録画された内容を復号化して出画しても良いが、録画された映像が記録媒体上に点在している場合には、目的のデータが記録されている位置に到達するまでのアクセス時間が必要となるため、サムネール画面の出画が遅くなってしまう。そのため、録画時に予め通常の映像記録の他にサムネール画像データを生成し、別ファイルとして保存しておくことが多い。別ファイルとして保存されたサムネール画像データはファイルの大きさが小さいため、サムネール画面を高速に出画することができる。
【０００４】
さらにこういった録画装置には、各映像ごとのサムネール画像データに加え、録画時刻やタイトルなどに代表される属性情報も記録できることが望まれる。それを実現するために、サムネール画像データの保存と同時に属性情報も同じファイルに記録する構成となっていることもある。これらサムネール画像データや属性情報は、録画が行われるたびに増え、録画された映像が削除されるたびに対応するサムネール画像データや属性情報はファイル中から削除されることになる。
【０００５】
一方、このような録画装置では、連続して生成される映像データを、記録速度が一定ではない記録媒体への記録を安定して行うため、または再生速度が一定ではない記録媒体から、滑らかな再生に必要な連続したデータを得るために、大容量のバッファメモリが搭載されていることが多い。
【発明の開示】
【発明が解決しようとする課題】
【０００６】
上述のとおり、サムネール画像データを別ファイルとして予め保持しておく構成にすることにより、ある程度のサムネール画面の高速出画が可能である。一度記録媒体から読み出し、出画したサムネール画像データは、装置内のメモリに保存しておけば、再度の出画が高速化できる。
【０００７】
しかし、コストや装置の大きさなどの観点から、サムネール画像データを保持するのに充分な容量のメモリを搭載できるとは限らない。
【０００８】
本発明の目的は、録画装置のコストや実装スペースを抑えつつサムネール画像データや属性情報をサムネール画面として高速に出画することができる録画装置、記録媒体を提供することにある。
【課題を解決するための手段】
【０００９】
そこで本発明では、ランダムアクセス可能な記録媒体を用いる録画装置に一般的に搭載されているメモリのバッファメモリ領域が、再生または録画が行われている場合にのみ使用されていることに着目し、サムネール一覧表示画面などを表示していて、再生または録画が行われていない状態では、バッファメモリ領域を利用して記録媒体から読み出したサムネール画像データの保持を行う構成とする。
【００１０】
このような構成にすることで、サムネールを保持するためだけにメモリを搭載するという無駄を減らすことができ、コストや実装スペースを抑えかつ高速なサムネールの再出画が可能になる。
【００１１】
また、サムネール画像データおよび属性情報を単一のファイル（説明の便宜上「ファイルＡ」と称する）として記録媒体に記録し、かつサムネール画像データとこれに対応する属性情報を交互に記録するのではなくて、サムネール画像データはサムネール画像データで連続的に記録媒体に記録し、属性情報は属性情報で連続的に記録媒体に記録する構成とする。
【００１２】
このような構成とすることで、再生時などサムネール画像データは不要だが属性情報が連続的に欲しい場合にでも、迅速に属性情報を得ることができる。また、サムネール画像データのみを記録媒体からバッファメモリ領域に転送する場合にも、サムネール画像データと属性情報を交互に記録した場合に生じる「読み飛ばし」などの無駄なファイルアクセスを減らすことができる。
【００１３】
また、ファイルＡ中で属性情報が記録されている領域は、映像の撮影数、すなわちサムネール画像データの数に応じて増減させずに固定長とする構成とする。
【００１４】
これにより属性情報の削除が行われた場合でも、ファイルＡ内部のデータの前詰めなどの大掛かりな処理を最小限にすることができる。
【００１５】
また、バッファメモリ領域に読み込まれたサムネール画像を出画している状態から、再生または録画状態に遷移する場合には、現在サムネール画面に表示されているサムネール画像データをバッファメモリ領域とは別のメモリ領域Ｃに複写し、再度出画を行う際には記録媒体からバッファメモリ領域にサムネール画像データを転送する前にメモリ領域Ｃを調査し、出画するサムネール画像データがメモリ領域Ｃに納められていればそちらのサムネール画像データを表示する構成とする。
【００１６】
このような構成とすることにより、サムネール画面表示状態と、再生・録画状態を頻繁に遷移する場合において、サムネール画面の出画を高速化することができる。
【００１７】
また、サムネール画像データ及び属性情報を記録するファイルが使用する領域を、その記録媒体を用いた最初の録画が行われる前に予め確保しておく構成とする。
【００１８】
このような構成とすることにより、記録媒体上でのファイルの断片化を防ぎ、断片化が引き起こすアクセス時間の増大を防止し、より高速にサムネール画面の出画ができる。
【発明の効果】
【００１９】
本発明によれば、録画装置のコストや実装スペースを抑えつつサムネール画像データや属性情報をサムネール画面として高速に出画することができる。
【発明を実施するための最良の形態】
【００２０】
本発明の実施の形態を説明する。図１は、本発明を録画装置の１つであるビデオカメラに応用した場合の構成図である。録画の際には、カメラユニット１０１から出力されたディジタル映像信号が、符号化回路１０２によって圧縮などの符号化処理が行われ、ＣＰＵ１０３を経由し、一旦、メモリ１０５に蓄えられる。メモリ１０５に蓄えられた符号化された映像データは、再びＣＰＵ１０３を経由して記録媒体１０６に間欠的に転送が行われ、記録される。またＣＰＵ１０３は、後に説明する記録した映像のサムネール画像データや属性情報を生成し、記録媒体１０６に記録を行う機能も持つ。
【００２１】
再生時には記録媒体１０６から間欠的に出力される映像データはＣＰＵ１０３を経由して一旦メモリ１０５に蓄えられ、再度ＣＰＵ１０３によって連続的に復号化回路１０７へ出力される。復号化回路１０７は入力された映像データを復号し、モニタ１０４に映像を出力する。一方、ＣＰＵ１０３は、記録媒体１０６中に記録されている映像のサムネール画面をモニタ１０４に一覧表示する機能も持つ。その際、メモリ１０５の一部メモリ領域をサムネール画面出画のための作業領域として使用する。
【００２２】
図１では、モニタ１０４にサムネール画面を表示した例について示しており、このサムネール画面は、縦３枚×横４枚の１２枚のサムネールを表示したサムネール画面である。もちろん、１２枚に限られるものではなく、サムネール画面上には任意の枚数のサムネールを表示させることができることはいうまでもない。
【００２３】
記録媒体１０６には、図２に示すように、映像データ記録領域２０１の他に、映像データ記録領域２０１とは独立した単一ファイル記録領域２０２を設ける。単一ファイル記録領域２０２には、映像データ２０１のサムネール画像データを記録できるサムネール画像データ記録領域２０４と、サムネール画像データ２０４に対応する日付、タイトルなどの属性情報を記録できる属性情報記録領域２０３を設ける。
【００２４】
記録媒体１０６には、映像データ記録領域２０１には、複数の映像データが記録されており、単一ファイル記録領域２０２には、映像データに対応した複数のサムネール画像データや日付、タイトル情報等の属性情報が、録画装置によって単一ファイルとして記録される。
【００２５】
追加録画が行わることにより映像データ記録領域２０１に映像データが追加録画された場合、それに対応したサムネール画像データや属性情報が単一ファイル記録領域２０２にも追記される。
【００２６】
次にＣＰＵ１０３を用いたメモリ１０５の制御方法について図３を用いて説明する。図３は図１におけるメモリ１０５の使われ方を説明する図である。メモリ１０５は、作業領域３０１、属性情報用領域３０２、バッファ・サムネール兼用領域３０３、キャッシュ領域３０４の４つに論理的に仕切られている。
【００２７】
作業領域３０１は、システム全体を動かすのに図１におけるＣＰＵ１０３が使用するための作業領域である。属性情報用領域３０２は装置の起動の際に図１における記録媒体１０６中の、図２における属性情報２０３が読み込まれる。バッファ・サムネール兼用領域３０３は録画、再生が行われている状況下では、映像データのバッファとして使用されているが、サムネール画面を出画する際には、録画や再生は行われていないので、この領域に図１における記録媒体１０６中の、図２におけるサムネール画像データ記録領域２０４を書き込むことができる。
【００２８】
サムネール画像データをメモリに展開することにより、一度出画したサムネール画面の再度の出画が高速になる。また、録画、再生時にバッファメモリとして利用されているメモリ領域を用いることにより、サムネール画面の出画を高速化するために使用する別のメモリ領域を確保する必要がなく、装置の小型化、低コスト化に役立つ。
【００２９】
しかしながら、サムネール画面出画状態と、録画、再生状態を頻繁に遷移する場合には、その都度サムネール画像データをバッファ・サムネール兼用メモリ領域３０３に書き込む必要があり、効率が低下する。サムネールの出画状態と、再生、録画状態への状態遷移は、ユーザの誤操作などによっても頻繁に行われる可能性があり、その都度再生、録画状態への状態遷移に時間がかかるのでは、装置の操作の軽快感を大きく損なうことになる。
【００３０】
そこで本実施例では、現在出画されているサムネール画面に出画するサムネールの表示枚数（たとえば１２枚）分のデータを保持するメモリ領域を、キャッシュ領域３０４として確保する。
【００３１】
サムネール画面出画状態から再生、録画状態へ遷移が行われる場合、バッファ・サムネール兼用領域３０３に保持されているサムネール画像データのうち、現在出画が行われているものについては、図１におけるＣＰＵ１０３によって、キャッシュ領域３０４に複写が行われる。この複写が完了してから、バッファ・サムネール兼用領域３０３をバッファとして使用する。
【００３２】
再度再生、録画状態からサムネール画面出画状態へ遷移する場合には、図１におけるＣＰＵ１０３は、図１における記録媒体１０６中の、図２におけるサムネール画像データ記録領域２０４からサムネール画像データを読み込んでバッファ・サムネール兼用領域３０３に書き込む前に、キャッシュ領域３０４に目的のサムネール画像データが保管されていないか調査を行う。
【００３３】
もし目的のサムネール画像データが保管されていれば、サムネール画像データを読み込んでバッファ・サムネール兼用領域３０３に書き込む動作を行うことなく、キャッシュ領域３０４から目的のサムネール画像データを読み取って出画を行う。
【００３４】
このような構成とすることにより、出画するべきサムネール画像データがすべてキャッシュ領域３０４に保管されていれば、サムネール画像データを読み込むために図１における記録媒体１０６へアクセスを行う必要がなく、出画は高速に行われるので、サムネール画面出画状態と再生、録画状態を遷移させた場合の操作の軽快感を大幅に改善することができる。
【００３５】
次に図２における単一ファイル記録領域２０２の構成について図４を用いて詳しく説明する。単一ファイル記録領域２０２は属性情報記録領域２０３とサムネール画像データ記録領域２０４から成っており、ファイルの先頭から属性情報、サムネール画像データの順に並んでいる。属性情報記録領域２０３には複数の属性情報（属性レコード）が記録できる。１つの属性レコードは１つの映像データのシーケンスに対応している。またサムネール画像データ記録領域２０４には、複数のサムネール画像データ（サムネールレコード）が記録でき、１つのサムネールレコードは１つの属性レコードに対応している。
【００３６】
すなわち、録画が一回行われると、それに対応した属性レコードとサムネールデータがそれぞれ１つずつ生成される。ここで、属性情報記録領域２０３のトータルの大きさは、装置の映像の最大録画数（たとえば９９９）に対応した属性レコード分の領域の大きさに固定し、録画した数には依存させず一定とする。属性レコードに納める情報の量にもよるが、一般的に１つの属性レコードの大きさは、１つのサムネールレコードの大きさの数十分の一〜数百分の一なのが一般的である。
【００３７】
このように、情報量の少ない属性情報記録領域２０３の領域の大きさを固定にすることにより、サムネール画像データの追加や削除が行われる場合でも、サムネール画像データ記録領域２０４全体をシフトさせるような膨大で煩雑な処理を省くことができるので、単一ファイル２０２の内容変更を容易にかつ高速に行うことができる。
【００３８】
一方、サムネール画像データ記録領域２０４の大きさは、納められているサムネールレコードの数に依存させ、可変とする。
【００３９】
上述のとおり、１つのサムネールレコードの大きさは１つの属性レコードの大きさに比べて大きいので、サムネール画像データ領域２０４の大きさを、そこに納められているサムネールレコードの数に依存させることにより、この単一ファイル２０２自体の大きさを、場合により少しでも小さくし、単一ファイル２０２の管理を容易にすることができる。
【００４０】
次に単一ファイル２０２の記録媒体上での断片化を防ぎ、高速にアクセスできるような状態に保つ構成について図５および図６を用いて説明する。録画が繰り返された場合、図４における単一ファイル記録領域２０２の中には撮影された回数分だけの属性レコードおよびサムネールレコードが記録される。これらは論理的には図４に示したように配置されるのだが、実際の記録媒体１０６上での物理的な位置は図５に示すように録画された映像データによって断片化される可能性が高い。
【００４１】
図５においては、属性レコード５１１及び５２１、サムネールレコード５１２及び５２２が、それぞれ映像データ５１３または５２３によって断片化されており、このようなファイル５０１中から属性レコード５１１及び５１２のみ、またはサムネールレコード５１２及び５２２のみを読み込むには、目的のレコードに到達するまでに余分なアクセス時間が必要となり、効率が悪い。
【００４２】
そこで、図６に示すように、予め単一ファイル記録領域２０２分の領域である領域６０２および映像データ記録領域の最大の大きさ分の領域６０３が含まれるのに充分な大きさのダミーのファイル６０１を作成しておき、そこに単一ファイルを上書きする構成とした。
【００４３】
このような構成にすることにより、映像データにより単一ファイル２０２が断片化するのを防ぎ、記録媒体上でのアクセス時間の大幅な増大を防ぐことができる。
【００４４】
また図７のごとく、単一ファイルを記録媒体に記録する領域として、記録媒体上の記前記映像データを記録しない領域７０１を物理的に確保し、そこに記録しても良い。映像データ７０２は領域７０１以外の記録媒体上の領域に確保する。
【図面の簡単な説明】
【００４５】
【図１】図１は、本発明を適用した録画装置（ビデオカメラ）の構成例を示す説明図である。
【図２】図２は、図１における記録媒体１０６の記録領域の概念を示す説明図である。
【図３】図３は、図１におけるメモリ１０５の使われ方（領域）を示す説明図である。
【図４】図４は、単一ファイル２０２の構成を示す説明図である。
【図５】図５は、属性レコード、サムネールレコード、映像データの配列の例を示す説明図である。
【図６】図６は、属性レコード、サムネールレコード、映像データの配列の例を示す説明図である。
【図７】図７は、属性レコード、サムネールレコード、映像データの配列の例を示す説明図である。
【符号の説明】
【００４６】
１０１…カメラユニット、１０２…符号化回路、１０３…ＣＰＵ、１０４…モニタ、１０５…メモリ、１０６…記録媒体、１０７…復号化回路、２０１…映像データ記録領域、２０２…単一ファイル記録領域、２０３…属性情報記録領域、２０４…サムネール画像データ記録領域、３０１…作業領域、３０２…属性情報用領域、３０３…バッファ・サムネール兼用領域、３０４…キャッシュ領域。
【図１】
2005253087.tif 000003
【図２】
2005253087.tif 000004
【図３】
2005253087.tif 000005
【図４】
2005253087.tif 000006
【図５】
2005253087.tif 000007
【図６】
2005253087.tif 000008
【図７】
2005253087.tif 000009